(57)【要約】【課題】火災発生時の避難の際，適切な避難方向に誘導する入退室管理装置を提供する。【解決手段】建物１に設けられる複数の居室Ａ，Ｂと，複数の階段室１Ａ，１Ｂと，各階天井に設けられる複数の熱感知器６Ａ，６Ｂ及び煙感知器７Ａ，７Ｂとを有し，居室Ａ，Ｂのドアの近傍に設けたカードリーダ２Ａ〜３Ｂが読み込んだＩＤカードに対し，ドアの電気錠２Ａ４〜３Ｂ４の解錠の要否を指令し，解錠の要否に応じてカードリーダ２Ａ〜３ＢのＬＥＤ２Ａ３〜３Ｂ３を点灯させるようにした入退室管理装置において，複数の熱感知器６Ａ，６Ｂ及び煙感知器７Ａ，７Ｂのいずれかが動作すると，各階における避難階段とする階段室１Ａ，１Ｂを設定する避難階段室設定手段９，１２，１２Ａ，１３と，避難階段室設定手段９，１２，１２Ａ，１３で設定された各階の階段室１Ａ，１Ｂに基づき，各階のドアに設けられる電気錠２Ａ４〜３Ｂ４に対し，解錠及び解錠不能を設定する解錠設定手段９，１２，１２Ａ，１２Ｂ，１３を設けた。【選択図】図１
2015161115.tif 000002
【特許請求の範囲】
【請求項１】
建物に設けられる複数の居室と、災害発生時に避難階段となる複数の階段室と、建物の各階の天井に設けられる複数個の熱感知器及び煙感知器とを有し、前記居室のドアの近傍に設けられ、当該居室の居住者に配布されるＩＤカードに記憶される認証コードを読み込むカードリーダと、このカードリーダが読み込んだ認証コードに対し、当該ドアに設けた電気錠の解錠の要否を判断する電気錠施解錠判定装置と、この電気錠施解錠判定装置が判断した電気錠の解錠の要否に応じ、当該カードリーダに設けたＬＥＤを点灯させるＬＥＤ制御装置と、を備えた入退室管理装置において、
前記複数個の熱感知器及び煙感知器のいずれかが動作すると、各階における避難階段とする階段室を設定する避難階段室設定手段と、
この避難階段室設定手段で設定された各階の階段室に基づき、各階の前記ドアに設けられる前記電気錠に対し、解錠及び解錠不能を設定する解錠設定手段と、
を備えたことを特徴とする入退室管理装置。
【請求項２】
請求項１記載の入退室管理装置において、
前記ＬＥＤ制御装置は、前記解錠設定手段が解錠及び解錠不能に設定した前記電気錠に対応するカードリーダに設けたＬＥＤに対し、通常の解錠要否時とは異なる表示を指令することを特徴とする入退室管理装置。
【請求項３】
請求項１または請求項２記載の入退室管理装置において、
前記避難階段室設定手段は、最初に動作した熱感知器及び煙感知器が設置された階床を火元階とし、この火元階における最初に動作した熱感知器及び煙感知器の設置位置から遠い階段室を避難階段室に設定し、当該火元階の直上及び直下階の避難階段室は前記火元階の避難階段室とは異なる階段室に設定することを特徴とする入退室管理装置。
【発明の詳細な説明】
【技術分野】
【０００１】
本発明は、入退室管理装置に係り、特に、火災発生時の避難誘導に好適な入退室管理装置に関する。
【背景技術】
【０００２】
特許文献１には、入退出管理装置が火災の発生を示す情報を受信すると、居室扉の電気錠を解錠状態とすることで、どの扉からでもＩＤカード無しで退室を可能とすることにより、迅速なる避難が行えるようにした入退室管理装置が開示されている。
【先行技術文献】
【特許文献】
【０００３】
【特許文献１】特開２００９−２２１７０４号公報
【発明の概要】
【発明が解決しようとする課題】
【０００４】
特許文献１は、避難階段が複数設けられている中規模以上の事務所ビルにおいて、部屋の扉が複数設置される場合が多く、避難口誘導灯が設置されているが、災害の発生、特に火災が発生したとき、各階から避難階段を使って１階まで下りて、予め決められた場所へ避難するようにしているが、居室の全ての扉を開放可能とするため、避難する階段に集中が生じて階段での避難に停滞が発生し、避難者がパニック状態となることや、階段での転落や将棋倒しの発生という二次的災害の虞があった。
【０００５】
また、火元階で複数の扉が存在する居室の場合、火元に近い扉を開放すると、居室内に煙が入り込むことや、火元に近い避難階段を利用すると、避難階段扉から煙が入り込んで火元階の上方階の避難に支障が生じ、上述した避難する階段の集中が発生し易くなり、避難誘導における配慮が不足している問題があった。
【０００６】
本発明の目的は、火災発生時に避難する際、適切な避難方向に誘導する入退室管理装置を提供することにある。
【課題を解決するための手段】
【０００７】
この目的を達成するために、本発明は、建物に設けられる複数の居室と、災害発生時に避難階段となる複数の階段室と、建物の各階の天井に設けられる複数個の熱感知器及び煙感知器とを有し、前記居室のドアの近傍に設けられ、当該居室の居住者に配布されるＩＤカードに記憶される認証コードを読み込むカードリーダと、このカードリーダが読み込んだ認証コードに対し、当該ドアに設けた電気錠の解錠の要否を判断する電気錠施解錠判定装置と、この電気錠施解錠判定装置が判断した電気錠の解錠の要否に応じ、当該カードリーダに設けたＬＥＤを点灯させるＬＥＤ制御装置と、を備えた入退室管理装置において、前記複数個の熱感知器及び煙感知器のいずれかが動作すると、各階における避難階段とする階段室を設定する避難階段室設定手段と、この避難階段室設定手段で設定された各階の階段室に基づき、各階の前記ドアに設けられる前記電気錠に対し、解錠及び解錠不能を設定する解錠設定手段と、を備え、前記ＬＥＤ制御装置は、前記解錠設定手段が解錠及び解錠不能に設定した前記電気錠に対応するカードリーダに設けたＬＥＤに対し、通常の解錠要否時とは異なる表示を指令し、前記避難階段室設定手段は、最初に動作した熱感知器及び煙感知器が設置された階床を火元階とし、この火元階における最初に動作した熱感知器及び煙感知器の設置位置から遠い階段室を避難階段室に設定し、当該火元階の直上及び直下階の避難階段室は前記火元階の避難階段室とは異なる階段室に設定することを特徴とする。
【発明の効果】
【０００８】
本発明によれば、火災が発生して居室から階段室を使って避難するとき、避難階段室の方向に設けられるドアの電気錠のみを解錠状態にするとともに、ＬＥＤの表示状態を見ることで、当該ドアの解錠及び解錠不能状態を判断でき、居室を出るときに避難階段室の方向に誘導するようにしたので、安全で迅速なる避難が行なえる。
【０００９】
また、避難階段室の設定は火元階から行なうとともに、火元階は火元から遠い階段室を設定し、火元階の直上及び直下階は火元階の避難階段室とは異なる階段室を避難階段室として設定するようにしたので、避難階段室での混雑が避けられ、転倒等の二次災害を防止することができる。
【図面の簡単な説明】
【００１０】
【図１】本発明の入退室管理装置の一実施形態の要部構成を示すブロック図である。
【図２】本発明の入退室管理装置の一実施形態に示す建物の２階の平面図である。
【図３】本発明の入退室管理装置の一実施形態の図１に示す避難経路データ記憶部に格納される避難階段室設定テーブルである。
【図４】本発明の入退室管理装置の一実施形態の図１に示す避難経路データ記憶部に格納される解錠設定テーブルである。
【図５】本発明の入退室管理装置の一実施形態の動作を説明するフローチャートである。
【発明を実施するための形態】
【００１１】
以下、本発明の入退室管理装置に係る一実施形態を図１〜図５に基づいて説明する。
【００１２】
図１〜図４において、建物１は、例えば、南北と東西にそれぞれ直行する長手部を有するとともに、建物１の北西部に角部を有する平面Ｌ字状に形成された３ 階床の建造物であり、南側と東側の端部に階段室１Ａ、１Ｂがそれぞれ設けられ、また、南東の直行する凹部に図示しない玄関が設けられ、この図示しない玄関に当たる個所は２階では吹抜け部１Ｃが形成され、この吹抜け部１Ｃの北側にはエレベータシャフト１Ｄが隣接されている。ここで、階段室lＡ，１Ｂ、吹抜け部１Ｃ、エレベータシャフト１Ｄは、全て後述する共有部Ｃに設けられている。
【００１３】
次に、建物１の２階を用いて室内の間取の説明を行う。
【００１４】
２階の西側には南北にテナントＡが設けられ、２階の北側には東西にテナントＢが設けられ、テナントＡの東側とテナントＢの南側には平面Ｌ字状の共有部Ｃが設けられ、階段室１Ａ，１Ｂへの出入や、エレベータシャフト１Ｄを昇降する図示しないエレベーターの乗降や、テナントＡ，Ｂへの入退室は共有部Ｃを介して行なえる。
【００１５】
また、テナントＡと共有部Ｃとの境界である壁の南側、壁の中央、壁の北側には、図示しないドアが計３個所設けられ、テナントＢと共有部Ｃとの境界である壁の西側、壁の東側には、図示しないドアが計２個所設けられており、これらの図示しないドアの近傍には、それぞれカードリーダ２Ａ〜２Ｃ，３Ａ，３Ｂが設けられている。ここで、カードリーダ２Ａ〜２ＣはテナントＡの３個所の図示しないドアの内側と外側に設けられ、カードリーダ３Ａ，３ＢはテナントＢの２個所の図示しないドアの内側と外側に設けられている。
【００１６】
また、２階に設けられるカードリーダ２Ａ〜３Ｂは、図示しないＩＤカードに記憶されている認証コードを読み込む認証部２Ａ１〜３Ｂ１と、後述するコントローラ４との通信を行う通信部２Ａ２〜３Ｂ２と、緑色や赤色に点灯するＬＥＤ２Ａ３〜３Ｂ３から構成され、認証部２Ａ１〜３Ｂ１に翳された図示しないＩＤカードの認証コードを読み取り、その認証コードを通信部２Ａ２〜３Ｂ２を介してコントローラ４へ送信し、コントローラ４はカードリーダ２Ａ〜３Ｂに対応した図示しないドアに設けられる電気錠２Ａ４〜３Ｂ４へ、解錠の可否信号を送信する。ここで、ＬＥＤ２Ａ３〜３Ｂ３は、コントローラ４から電気錠２Ａ４〜３Ｂ４の解錠可信号が送信されると所定時間緑色に点灯し、電気錠２Ａ４〜３Ｂ４の解錠否信号が送信されると所定時間赤色に点灯することで、図示しないＩＤカードの利用者へ電気錠２Ａ４〜３Ｂ４の解錠可否を知らしめるもので、これらの点灯制御は、コントローラ４に設けられる後述するＬＥＤ制御装置５からの出力信号で指令される。
【００１７】
また、共有部Ｃの天井における南北の長手部と東西の長手部のそれぞれの中央部には、熱感知器６Ａ，６Ｂが設けられ、また、共有部Ｃの天井におけるテナントＡと階段室１Ａの間と、階段室１ Ｂの南側には、煙感知器７Ａ，７Ｂが設けられている。
【００１８】
また、共有部Ｃの階段室１Ｂの南側壁と対向する壁面にコントローラ４が設けられ、テナントＡとテナントＢの隣接する共有部Ｃの壁面には火災報知機８が設けられている。
【００１９】
ここで、熱感知器６Ａ，６Ｂや煙感知器７Ａ，７Ｂ、コントローラ４は、建物１の各階同一位置に取り付けられ、各階の間取も同一とする。
【００２０】
次に、コントローラ４は、カードリーダ２Ａ〜３Ｂに接続される上述したＬＥＤ制御装置５と、カードリーダ２Ａ〜３Ｂ、熱感知器６Ａ，６Ｂ、煙感知器７Ａ，７Ｂ、火災報知機８、電気錠２Ａ４〜３Ｂ４、及びＬＥＤ制御装置５へ接続される機器制御装置９と、この機器制御装置９に接続され、建物１を利用する複数の人物に配布される図示しないＩＤカードの認証コードに対し、テナントＡ，Ｂやカードリーダ２Ａ〜３Ｂ毎に電気錠２Ａ４〜３Ｂ４の解錠可能な認証コードを、予め設定して記憶する認証データ記憶部１０と、カードリーダ２Ａ〜３Ｂ、熱感知器６Ａ，６Ｂ、煙感知器７Ａ，７Ｂ、火災報知機８から送信される信号に基づいて、機器制御装置９がコントローラ４内の各機器に対する制御や指令信号出力等のプログラムを記憶する機器制御データ記憶部１１と、機器制御装置９に接続され、火災等の災害が発生したとき、機器制御装置９の指令により予め記憶される避難経路データ記憶部１２から最適な避難経路を選択し、この避難経路を機器制御装置９へ配信する避難経路制御装置１３とで構成されている。
【００２１】
次に、避難経路データ記憶部１２は、各階の熱感知器６Ａ，６Ｂ及び煙感知器７Ａ，７Ｂの中で、一番先に動作した報知器に対し、避難する階段室１Ａ、１Ｂを階床別に設定する避難階段室設定テーブル１２Ａと、火災発生時に、各階のテナントＡ，Ｂに設けられるカードリーダ２Ａ〜３Ｂ毎に、電気錠２Ａ４〜３Ｂ４へ解錠指令や解錠阻止指令を設定する解錠設定テーブル１２Ｂと、を少なくとも有している。ここで、解錠設定テーブル１２Ｂは、例えば、２階のテナントＡ，Ｂに設けたカードリーダ２Ａ〜３Ｂに対する解錠設定テーブル１２Ｂを示すものである。
【００２２】
また、避難階段室設定テーブル１２Ａは、横列の各階における報知器１２Ａａ〜１２Ａ１と縦列の各階における避難口１２Ａ１〜１２Ａ７で構成され、各階床に設けた熱感知器６Ａ、６Ｂ及び煙感知器７Ａ，７Ｂで、一番先に動作した熱感知器６Ａ，６Ｂ及び煙感知器７Ａ，７Ｂに対し、各階床毎に、避難する階段室１Ａ、１Ｂを設定するテーブルであり、例えば、３階の熱感知器６Ａが動作すると、３階は階段室１Ｂにて建物１の外へ避難する旨を設定し、２階は階段室１Ａにての避難を設定し、３階は階段室１Ｂか図示しない玄関を設定する。ここで、避難階段室設定テーブル１２Ａで設定するように、火元の階床と、動作した熱感知器６Ａ，６Ｂ及び煙感知器７Ａ，７Ｂに基づき、火元の階床の避難する階段室１Ａ，１Ｂを設定し（動作した熱感知器６Ａ，６Ｂ及び煙感知器７Ａ，７Ｂより遠い位置にある階段室１Ａ，１Ｂとする）、火元階床の直下階床は火元階床の避難する階段室１Ａ，１Ｂと異なる階段室を設定している。
【００２３】
また、解錠設定テーブル１２Ｂは、横列の避難階段１２Ｂａ，１２Ｂbと縦列の各階の避難口１２Ｂ１〜１２Ｂ５で構成され、例えば、２階床において設定された避難する階段室１Ａ、１Ｂ別に、カードリーダ２Ａ〜３Ｂに対する電気錠２Ａ４〜３Ｂ４へ解錠指令や解錠阻止指令を設定するテーブルであり、例えば、避難階段室設定テーブル１２Ａの設定で、２階床の避難する階段室が階段室Ｂであると、テナントＡのカードリーダ２Ａとカードリーダ２Ｂは解錠阻止に設定され、カードリーダ２Ｃは解錠指令に設定され、テナントＢのカードリーダ３Ａとカードリーダ３Ｂは解錠指令に設定され、テナントＡにおいては避難する階段室Ｂに近いカードリーダ２Ｃが解錠指令に設定されるので、階段室Ｂを使っての避難を意識せずに行うことが可能となる。
【００２４】
また、他の階床における機器の配置及びその構成に関する説明は、２階と同様であるので省略する。
【００２５】
次に、このように構成された一実施形態の動作の説明を、図５のフローチャートを用いて説明する。
【００２６】
まず、建物１の２階の南側で火災が発生し、２階に設置された煙感知器７Ａが最初に動作した場合、煙感知器７Ａの動作信号がコントローラ４の機器制御装置９へ送信されると（ステップＳ１）、機器制御装置９はコントローラ２Ａ〜３Ｂに指令していた通常動作（ステップＳ２）を切り離す。ここで、ステップＳ２の通常動作の説明は省略する。
【００２７】
次に、機器制御装置９は、２階に設置されている煙感知器７Ａが最初に動作した旨の信号を避難経路制御装置１３へ送信すると(ステップＳ３)、避難経路制御装置１３は、避難経路データ記憶部１２の避難階段室設定テーブル１２Ａの動作感知器１２Ａａ〜１２Ａ１と避難口１２Ａ１〜１２Ａ７を参照することで、２階の煙感知器７Ａ動作に対応する各階のテナントＡ，Ｂ別の避難階段室１Ａ，１Ｂの選択を行い、火元の階床である２階のテナントＡ，Ｂは動作した煙感知器７Ａから遠い位置にある階段室１Ｂでの避難を選択し、３階のテナントＡ，Ｂは階段室１Ａでの避難を選択し、１階のテナントＡ，Ｂは階段室１Ａ及び図示しない玄関からの避難を選択する(ステップＳ４)。
【００２８】
次に、避難経路制御装置１３は、ステップＳ５にて避難に使用する各階毎の階段室１Ａ，１Ｂの選択した情報と、避難経路データ記憶部１２の解錠設定テーブル１２Ｂの避難階段１２Ｂａ，１２Ｂｂとカードリーダ１２Ｂ１〜１２Ｂ５を参照し、例えば２階における電気錠２Ａ４〜３Ｂ４に対する解施錠を選択し(ステップＳ５)、カードリーダ２Ａ〜３ＢのＬＥＤ２Ａ３〜３Ｂ３の表示に対する点灯指令を選択する(ステップＳ６)。
【００２９】
ここで、避難経路制御装置１３は、２階のテナントＡに関しては、カードリーダ２Ａに対応する図示しないドアの電気錠２Ａ４とカードリーダ２Ｂに対応する図示しないドアの図示しない電気錠を解錠不能とする選択と、カードリーダ２Ｃに対応する図示しないドアの図示しない電気錠を解錠とし、２階のテナントＢに関しては、カードリーダ３Ａに対応する図示しないドアの図示しない電気錠とカードリーダ３Ｂ対応する図示しないドアの電気錠３Ｂ４の双方を解錠とする選択とを行うとともに、カードリーダ２Ａ〜３ＢのＬＥＤ２Ａ３〜３Ｂ３へは、電気錠２Ａ４〜３Ｃ４の解錠と解錠不能に見合った表示指令信号を選択するものである。
【００３０】
また、避難経路制御装置１３は、ステップＳ５で選択した電気錠２Ａ４〜３Ｂ４における解施錠信号を機器制御装置９へ送信するとともに、ステップＳ６で選択したＬＥＤ２Ａ３〜３Ｂ３における表示指令信号をＬＥＤ制御装置５へ送信する。
【００３１】
次に、機器制御装置９は、避難経路制御装置１３から電気錠２Ａ４〜３Ｂ４における解施錠信号の受信で、テナントＡに設けられ、カードリーダ２Ａが対応する図示しない電気錠２Ａ４、カードリーダ２Ｂが対応する図示しない電気錠、カードリーダ２Ｃが対応する図示しない電気錠を、全て解錠させ、テナントＢに設けられ、カードリーダ３Ａが対応する図示しない電気錠を解錠させ、カードリーダ３Ｂが対応する電気錠３Ｂ４を解錠不能とする(ステップＳ７)。
【００３２】
また、ＬＥＤ制御装置５は、避難経路制御装置１３からＬＥＤ２Ａ３〜３Ｂ３における点灯指令信号の受信で、テナントＡに設けられ、カードリーダ２Ａに設けられるＬＥＤ２Ａ３、カードリーダ２Ｂに設けられる図示しないＬＥＤ、カードリーダ２Ｃに設けられる図示しないＬＥＤを、全て緑色点滅とし、テナントＢに設けられ、カードリーダ３Ａに設けられる図示しないＬＥＤを緑色点滅とし、カードリーダ３Ｂに設けられるＬＥＤ３Ｂ３を赤色点滅とする（ステップＳ８）。このように、ＬＥＤ２Ａ３の緑色点滅で電気錠２Ａ４の解錠状況を知らしめ、ＬＥＤ３Ｂ３の赤色点滅で電気錠３Ｂ４の解錠不能を知らしめるので、テナントＡ，Ｂから階段室１Ａ，１Ｂにて避難するとき、ＬＥＤ２Ａ３が緑色点滅している図示しないドアから共有部Ｃに出れば、安全且つ迅速に階段室１Ｂにたどり着くことができる。
【００３３】
本実施形態によれば、避難階段室設定テーブル１２Ａは、火元の階床で最初動作した熱感知器６Ａ，６Ｂと煙感知器７Ａ，７Ｂに対し、離れている階段室１Ａ，１Ｂを火元階床の避難口に設定したので、安全に避難できる。また、避難階段室設定テーブル１２Ａは、避難する階段室１Ａ，１Ｂを直上及び直下の階床が避難する階段室１Ａ，１Ｂと異なる階段室１Ａ，１Ｂとしているので、避難者の分散が可能となり、混雑が緩和するので、転倒等の二次災害が防止できる。
【００３４】
また、木実施形態によれば、解錠設定テーブル１２Ｂは、当該階床における避難する階段室１Ａ，１Ｂに設定された方向の電気錠２Ａ４〜３Ｃ４を解錠に設定し、避難する階段室１Ａ，１Ｂでない方向の電気錠２Ａ４〜３Ｃ４を解錠不能とするとともに、解錠に設定された電気錠２Ａ４〜３Ｃ４に対応するカードリーダ２Ａ〜３ＢのＬＥＤ２Ａ４〜３Ｂ４を緑色点滅させ、解錠不能に設定された電気錠２Ａ４〜３Ｃ４に対応するカードリーダ２Ａ〜３ＢのＬＥＤ２Ａ４〜３Ｂ４を赤色点滅させることで、テナントＡ，Ｂから避難する階段室lＡ，１Ｂの方向を判断させるようにしたので、速やかなる避難行動が行える。
【００３５】
また、ＬＥＤ２Ａ４〜３Ｂ４の点灯にて避難方向へ誘導するので、特別な表示装置も必要としない。
【００３６】
本実施形態では、火災発生時のカードリーダ２Ａ〜３ＢのＬＥＤ２Ａ４〜３Ｂ４の表示を、緑色点滅や赤色点滅で説明したが、通常時と異なる表示であれば良く、ブザー等の音声を加味しても同様なる効果が得られる。また、ＬＥＤ２Ａ４〜３Ｂ４の緑色点滅や赤色点滅表示は、火災発生後にＬＥＤ制御装置５の指令によって常時点滅表示となる説明を行ったが、カードリーダ２Ａ〜３Ｂの認証部２Ａ１〜３Ｂ１に図示しないＩＤカードを翳したとき、点滅表示させても同様なる効果が得られる。
【符号の説明】
【００３７】
Ａ，Ｂ  テナント
Ｃ  共有部
１  建物
１Ａ，１Ｂ  階段室
２Ａ〜２Ｃ，３Ａ，３Ｂ  カードリーダ
２Ａ１〜３Ｂ１  認証部
２Ａ２〜３Ｂ２  通信部
２Ａ３〜３Ｂ３  ＬＥＤ
２Ａ４〜３Ｂ４  電気錠
４  コントローラ
５  ＬＥＤ制御装置
６Ａ，６Ｂ  熱感知器
７Ａ，７Ｂ  煙感知器
９  機器制御装置
１０  認証データ記憶部
１１  機器制御データ記憶部
１２  避難経路データ記憶部
１２Ａ  避難階段室設定テーブル
１２Ｂ  解錠設定テーブル１２
１３  避難経路制御装置
【図１】
2015161115.tif 000003
【図２】
2015161115.tif 000004
【図３】
2015161115.tif 000005
【図４】
2015161115.tif 000006
【図５】
2015161115.tif 000007